(57)【要約】【課題】着用時の違和感を抑制でき、かつ身体に対するフィット性を高めることができる吸収性物品を提供する。【解決手段】吸収性物品１は、吸収コア３１と、吸収コアよりも肌対向面側に配置されたカバーシート３２及びトップシート１１と、少なくとも吸収コア３１及びカバーシート３２に形成され、第１方向に延びる第１圧搾溝８１とを、有する。カバーシートの第２方向における伸度は、肌面シートの第２方向における伸度よりも低い。第１圧搾溝の第２方向の中心に対する第２方向の外側には、カバーシートが破断した破断部３３が設けられている。【選択図】図１
2018000511.tif 000002
【特許請求の範囲】
【請求項１】
厚み方向と、
前記厚み方向と直交し、かつ互いに直交する第１方向及び第２方向と、
吸収材料を有する吸収コアと、
前記吸収コアよりも肌対向面側に配置されたカバーシート及び肌面シートと、
少なくとも前記吸収コア及び前記カバーシートに形成され、前記第１方向に延びる圧搾溝と、を有する吸収性物品であって、
前記カバーシートの前記第２方向における伸度は、前記肌面シートの前記第２方向における伸度よりも低く、
前記圧搾溝の前記第２方向の中心に対する前記第２方向の外側には、前記カバーシートが破断した破断部が設けられている、吸収性物品。
【請求項２】
前記破断部は、前記圧搾溝によって前記厚み方向に凹んだ圧搾領域内に位置する、請求項１に記載の吸収性物品。
【請求項３】
前記吸収コアは、前記圧搾溝を基点にして変形し、肌対向面側及び非肌対向面側の少なくとも一方側に隆起可能に構成されており、
前記破断部は、前記吸収コアよりも前記一方側に配置された前記カバーシートに設けられている、請求項１又は請求項２に記載の吸収性物品。
【請求項４】
前記カバーシートは、前記肌面シートと前記吸収コアの間に配置されている、請求項１から請求項３のいずれかに記載の吸収性物品。
【請求項５】
前記吸収コアは、高目付領域と、前記高目付領域よりも吸収材料の目付が低い低目付領域と、を有し、
前記圧搾溝は、前記低目付領域と重なる領域に設けられている、請求項１から請求項４のいずれかに記載の吸収性物品。
【請求項６】
前記吸収コアは、高目付領域と、前記高目付領域よりも吸収材料の目付が低い低目付領域と、を有し、
前記破断部は、前記低目付領域と重なる領域に設けられている、請求項１から請求項５のいずれかに記載の吸収性物品。
【請求項７】
前記圧搾溝よりも前記第２方向の両外側に、少なくとも前記吸収コア及び前記カバーシートに形成された第２圧搾溝を有し、
前記第２圧搾溝の密度は、前記圧搾溝の密度よりも高い、請求項１から請求項６のいずれかに記載の吸収性物品。
【請求項８】
前記第２圧搾溝は、前記肌面シート、前記吸収コア及び前記カバーシートに形成されている、請求項７に記載の吸収性物品。
【発明の詳細な説明】
【技術分野】
【０００１】
本発明は、生理用ナプキン等の吸収性物品に関する。
【背景技術】
【０００２】
特許文献１には、圧搾溝を有する吸収性物品が開示されている。特許文献１の圧搾溝は、後側域において長手方向に延びている。特許文献１の吸収性物品は、圧搾溝が肌対向面側に隆起するように構成されている（例えば、特許文献１の図５参照）。
【先行技術文献】
【特許文献】
【０００３】
【特許文献１】特開２０１２−１５７４５９号公報
【発明の概要】
【発明が解決しようとする課題】
【０００４】
特許文献１の圧搾溝は、パルプや吸収性ポリマーを含む吸収材料からなる吸収体と、吸収体を覆うクレープ紙と、に形成されている。クレープ紙は、吸収体の形状保持のために設けられており、トップシート等と比較して伸長し難い素材を用いることができる。特許文献１のクレープ紙は、圧搾溝が肌対向面側に隆起すると、圧搾溝の周囲において幅方向の外側に引っ張られる。クレープ紙が伸長し難い場合には、クレープ紙が吸収体の変形を阻害し、吸収体のフィット性が低下することがあった。また、クレープ紙が伸長し難い場合において圧搾溝を形成すると、クレープ紙によって吸収材料が押圧され、圧搾溝の周囲が硬くなることがあった。圧搾溝の周囲が硬くなり過ぎると、圧搾溝の周囲が変形し難くなり、身体に対するフィット性を高めることができないことがあった。また、圧搾溝の周囲の剛性が高くなり過ぎると、着用時の違和感が生じることがあった。
【０００５】
本発明は、上述の課題に鑑みてなされたものであり、着用時の違和感を抑制でき、かつ身体に対するフィット性を高めることができる吸収性物品を提供することを目的とする。
【課題を解決するための手段】
【０００６】
本開示に係る吸収性物品（吸収性物品１）は、厚み方向（厚み方向）と、前記厚み方向と直交し、かつ互いに直交する第１方向及び第２方向と、吸収材料を有する吸収コア（吸収コア３１）と、前記吸収コアよりも肌対向面側に配置されたカバーシート（カバーシート３２）及び肌面シート（トップシート１１）と、少なくとも前記吸収コア及び前記カバーシートに形成され、前記第１方向に延びる圧搾溝（第１圧搾溝８１）と、を有する吸収性物品であって、前記カバーシートの前記第２方向における伸度は、前記肌面シートの前記第２方向における伸度よりも低く、前記圧搾溝の前記第２方向の中心に対する前記第２方向の外側には、前記カバーシートが破断した破断部（破断部３３）が設けられていることを要旨とする。
【発明の効果】
【０００７】
本発明に係る吸収性物品によれば、着用時の違和感を抑制でき、かつ身体に対するフィット性を高めることができる。
【図面の簡単な説明】
【０００８】
【図１】一実施形態における吸収性物品の平面図である。
【図２】図１に示すＡ−Ａ線に沿った吸収性物品の断面図である。
【図３】図１に示すＸ部分の拡大図である。
【図４】吸収体の平面図である。
【図５】図４に示すＢ−Ｂ線に沿った吸収性物品の断面図である。
【図６】図１のＡ−Ａ線を基準とした着用状態の吸収性物品の断面図である。
【発明を実施するための形態】
【０００９】
本明細書及び添付図面の記載により、少なくとも以下の事項が明らかとなる。
【００１０】
厚み方向と、
前記厚み方向と直交し、かつ互いに直交する第１方向及び第２方向と、
吸収材料を有する吸収コアと、
前記吸収コアよりも肌対向面側に配置されたカバーシート及び肌面シートと、
少なくとも前記吸収コア及び前記カバーシートに形成され、前記第１方向に延びる圧搾溝と、を有する吸収性物品であって、
前記カバーシートの前記第２方向における伸度は、前記肌面シートの前記第２方向における伸度よりも低く、
前記圧搾溝の前記第２方向の中心に対する前記第２方向の外側には、前記カバーシートが破断した破断部が設けられている、吸収性物品。
【００１１】
このような吸収性物品によれば、カバーシートは、第１方向に沿う圧搾溝の形成時に第１方向と直交する第２方向に引っ張られる。カバーシートには、破断部が形成されている。破断部は、圧搾溝の第２方向の中心に対する第２方向の外側に位置する。よって、カバーシートは、圧搾溝の形成時に第２方向に引っ張られた際に、破断部の変形によって第２方向に伸長する。カバーシートが第２方向に伸長することにより、カバーシートによって吸収材料が圧縮されることを抑制し、圧搾溝の周囲の吸収材料が硬くなり過ぎることを抑制できる。よって、圧搾溝の周囲を柔軟に変形させ、身体に対するフィット性を高めることができる。また、圧搾溝の周囲の剛性が高くなり過ぎず、着用時の違和感を抑制できる。
【００１２】
また、着用時に第１方向に沿った圧搾溝を基点に吸収コアが変形すると、カバーシート及び肌面シートは、第２方向に引っ張られる。このとき、肌面シートは、カバーシートと比較して伸度が高く、吸収コアの変形に伴って伸長し、吸収コアの変形を阻害しない。一方、カバーシートは、肌面シートと比較して伸度が低いが、破断部の変形によって第２方向に伸長可能であり、吸収コアの変形を阻害しない。よって、吸収コアが圧搾溝を基点として変形し、身体に対するフィット性を高めることができる。
【００１３】
かかる吸収性物品であって、
前記破断部は、前記圧搾溝によって厚み方向に凹んだ圧搾領域内に位置することが望ましい。
【００１４】
カバーシートの圧搾領域は、圧搾溝の形成に伴って引っ張られ、厚み方向に凹んで配置される領域である。圧搾領域内に破断部が形成されているため、圧搾溝の形成時に破断部の変形に伴ってカバーシートが伸長し易い。よって、圧搾溝の形成時にカバーシートによって吸収材料が圧縮されることをより抑制できる。
【００１５】
かかる吸収性物品であって、
前記吸収コアは、前記圧搾溝を基点にして変形し、肌対向面側及び非肌対向面側の少なくとも一方側に隆起可能に構成されており、
前記破断部は、前記吸収コアよりも前記一方側に配置された前記カバーシートに設けられていることが望ましい。
【００１６】
このような吸収性物品によれば、吸収コアが一方側に隆起するように変形すると、特に吸収コアの一方側に配置されたカバーシートが第２方向に引っ張られる。吸収コアよりも一方側に配置されたカバーシートに破断部が形成されているため、カバーシートによって吸収コアの変形を阻害しない。よって、圧搾溝を基点として吸収コアがより変形し易く、身体に対するフィット性を高めることができる。
【００１７】
かかる吸収性物品であって、
前記カバーシートは、前記肌面シートと前記吸収コアの間に配置されていることが望ましい。
【００１８】
肌面シートと吸収コアの間にカバーシートが設けられている構成にあっては、カバーシートが伸長しない場合に、カバーシートによって吸収コアを圧縮し易い。カバーシートに破断部が設けられているため、カバーシートによって吸収コアを圧縮することを抑制し、圧搾溝の周囲の吸収材料が硬くなり過ぎることを抑制できる。
【００１９】
かかる吸収性物品であって、
前記吸収コアは、高目付領域と、前記高目付領域よりも吸収材料の目付が低い低目付領域と、を有し、
前記圧搾溝は、前記低目付領域と重なる領域に設けられていることが望ましい。
【００２０】
このような吸収性物品によれば、低目付領域に形成された圧搾溝は、高目付領域に形成された圧搾溝と比較して、硬くなり難い。よって、圧搾溝の周囲を柔軟に変形させ、身体に対するフィット性をより高めることができる。また、圧搾溝の周囲の剛性が高くなり過ぎることを抑制し、着用時の違和感をより抑制できる。
【００２１】
かかる吸収性物品であって、
前記吸収コアは、高目付領域と、前記高目付領域よりも吸収材料の目付が低い低目付領域と、を有し、
前記破断部は、前記低目付領域と重なる領域に設けられていることが望ましい。
【００２２】
このような吸収性物品によれば、低目付領域は、高目付領域よりも吸収コアの目付が低く、着用時に変形し易いように構成されている。カバーシートは、低目付領域と重なる領域に配置された破断部を有し、低目付領域の変形に伴って柔軟に変形する。吸収コアがより柔軟に変形でき、身体に対するフィット性をより高めることができる。
【００２３】
かかる吸収性物品であって、
前記圧搾溝よりも前記第２方向の両外側に、少なくとも前記吸収コア及び前記カバーシートに形成された第２圧搾溝を有し、
前記第２圧搾溝の密度は、前記圧搾溝の密度よりも高いことが望ましい。
【００２４】
このような吸収性物品によれば、第２圧搾溝によって吸収体及びカバーシートが圧搾され、吸収体の層間剥離が抑制される。また、第２圧搾溝の密度が第１圧搾溝の密度よりも高く、第２圧搾溝と圧搾溝との間に剛性差が生じる。加えて、カバーシートは、第２圧搾溝の形成時に第２圧搾溝側に引っ張られる。そのため、圧搾溝の周囲の領域は、第２方向の外側に引っ張られ、吸収材料の密度が低くなる。圧搾溝の周囲の領域と第２圧搾溝の周囲の領域との剛性差が大きくなることにより、着用時に圧搾溝及び第２圧搾溝を基点としてより変形し易く、フィット性を高めることができる。また、着用者側に隆起する圧搾溝の周囲の領域の剛性が低くなることにより、着用者に対する当たりを和らげ、違和感をより抑制できる。
【００２５】
かかる吸収性物品であって、
前記第２圧搾溝は、前記肌面シート、前記吸収コア及び前記カバーシートに形成されていることが望ましい。
【００２６】
このような吸収性物品によれば、第２圧搾溝の密度は、吸収コアとカバーシートのみに第２圧搾溝が形成された構成と比較して、より高くなる。よって、圧搾溝と第２圧搾溝との剛性差が大きくなり、着用時に圧搾溝及び第２圧搾溝を基点としてより変形し易く、フィット性を高めることができる。
【００２７】
＝＝＝本実施の形態に係る吸収性物品について＝＝＝
以下、図面を参照して、実施形態に係る吸収性物品ついて説明する。吸収性物品は、パンティーライナー（おりものシート）や生理用ナプキンや失禁パッド、使い捨ておむつ等の任意の吸収性物品であってよい。以下の実施形態では、吸収性物品の一例として使い捨ての生理用ナプキンについて説明する。
【００２８】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２９】
（１）吸収性物品の全体構成
図１は、一実施形態における吸収性物品の平面図である。図２は、図１のＡ−Ａ線に沿った吸収性物品の断面図である。図３は、図１に示すＸ部分の拡大図である。図４は、吸収体の平面図である。図５は、図４は、図１のＢ−Ｂ線に沿った吸収体の断面図である。
【００３０】
吸収性物品１は、互いに直交する長手方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３１】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００３２】
吸収性物品１は、ウイング３及びヒップフラップ４を有する。ウイング３及びヒップフラップ４は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。股下域Ｓ１の長手方向Ｌの中心は、ウイングの長手方向の中心と一致する。ヒップフラップ４は、後側域Ｓ３に設けられている。
【００３３】
吸収性物品１は、肌面シート１０、非肌面シート２０及び吸収体３０を有する。肌面シート１０は、吸収体３０よりも肌対向面側Ｔ１に設けられる。肌面シート１０は、トップシート１１及びサイドシート１２を有する。トップシート１１は、体液等の液体を透過する液透過性のシートである。サイドシート１２は、幅方向Ｗにおけるトップシート１１の外側縁を覆い、トップシート１１よりも幅方向Ｗの外側へ延びている。非肌面シート２０は、液不透過性のシートである。非肌面シート２０は、吸収体３０よりも非肌対向面側Ｔ２に設けられる。
【００３４】
吸収体３０は、肌面シート１０と非肌面シート２０との間に設けられる。吸収体３０は、少なくとも股下域Ｓ１と後側域Ｓ３に配置されている。吸収体３０は、液体を吸収する吸収材料からなる吸収コア３１と、吸収コアを包むカバーシート３２と、を有する。吸収体３０は、低目付領域４１と高目付領域４２を有する。ここで、「低目付領域」は、その周囲の吸収コア３１よりも低い目付を有する吸収コア３１からなる領域、又は吸収コア３１を有していない領域を意味する。高目付領域４２は、低目付領域４１よりも目付が高い領域である。吸収体３０の構成については、後述にて詳細に説明する。
【００３５】
吸収性物品には、圧搾溝が形成されている。圧搾溝は、少なくとも肌面シート１０であるトップシート１１とカバーシート３２が厚み方向Ｔに圧縮されることによって形成されている。本実施の形態の圧搾溝は、トップシート１１、カバーシート３２、及び吸収コア３１が厚み方向に圧搾されており、トップシート１１、カバーシート３２、及び吸収コア３１の少なくとも一部を一体化している。圧搾溝は、第１圧搾溝８１と、第２圧搾溝８２と、を少なくとも有する。第１圧搾溝８１及び第２圧搾溝８２は、後側域Ｓ３に設けられている。第１圧搾溝８１は、本発明における圧搾溝である。第１圧搾溝８１は、第１方向としての長手方向Ｌに延びている。第２圧搾溝８２は、第１圧搾溝８１よりも第２方向である幅方向Ｗの両外側において、第１圧搾溝８１に対して間隔を空けて設けられている。
【００３６】
第１圧搾溝８１は、低目付領域４１に形成されている。第２圧搾溝８２は、高目付領域４２（低目付領域以外の領域）に形成されている。よって、第２圧搾溝８２の吸収材料の密度は、第１圧搾溝８１の吸収材料の密度よりも高い。また、第２圧搾溝８２の周囲に位置するカバーシート３２は、後述する破断部３３が形成されてなく、第２圧搾溝８２の形成時に伸長しない。よって、第２圧搾溝８２の周囲の吸収材料の密度は、第１圧搾溝８１の周囲の吸収材料の密度よりも高い。第２圧搾溝８２が形成された領域の剛性は、第１圧搾溝８１が形成された領域の剛性よりも高い。
【００３７】
このように構成された第１圧搾溝８１及び第２圧搾溝８２を有することにより、着用時に幅方向Ｗの外側から幅方向の内側に向かう力が吸収性物品１に掛かった際に、第２圧搾溝８２を基点として第２圧搾溝８２間の領域が着用者側に隆起し、第１圧搾溝８１が頂点となるように変形する（図６参照）。着用者の臀部間の隙間に吸収性物品１の後側域Ｓ３がフィットし、身体に対するフィット性を高めることができる。また、第１圧搾溝８１の周囲の吸収体３０の剛性が比較的低いため、第１圧搾溝８１の周囲の吸収体が柔軟に変形し、身体に対する当たりが柔らかく、着用時の違和感を抑制できる。
【００３８】
（２）吸収体の詳細構成
次に、吸収体３０の構成についてより具体的に説明する。カバーシート３２は、吸収コア３１の肌対向面側Ｔ１と非肌対向面側Ｔ２の両側に配置されている。本実施の形態のトップシート１１は、不織布からなり、カバーシート３２は、ティッシュからなる。カバーシート３２は、トップシート１１よりも伸び難く構成されている。第１圧搾溝８１が延びる長手方向と直交する幅方向（第２方向）において、カバーシート３２の伸度は、トップシート１１の伸度よりも低い。ここで「伸度」とは、シートの引張強度であり、引張試験機（島津製作所製のオートグラフ）を使用して測定できる。具体的には、トップシートとカバーシートを１４ｍｍ×４０ｍｍの大きさに切り出した試験片を切り取り、チャッ引張速度１００ｍｍ／ｍｉｎの設定条件で測定し、破断時の伸度の値を求める。測定は３回行い、その平均値を各シートの伸度とする。
【００３９】
カバーシート３２には、破断部３３が形成されている。破断部３３は、吸収コア３１よりも肌対向面側Ｔ１に位置するカバーシート３２及び吸収コア３１よりも非肌対向面側Ｔ２に位置するカバーシート３２の両方に形成されている。破断部３３は、カバーシート３２が破断した部分であり、破断部３３が形成されていない領域と比較して剛性が低く、変形し易い。破断部３３の長さは、特に限定されないが、吸収材料に含まれるＳＡＰが破断部を介して零れない長さであることが好ましい。破断領域Ｒ３３は、破断部３３が形成された領域である。破断部３３は、破断領域Ｒ３３内において複数かつ不規則に設けられている。破断部３３は、第１圧搾溝８１の幅方向の中心に対する幅方向の外側に少なくとも設けられている。破断領域Ｒ３３は、第１圧搾溝８１と同様に長手方向Ｌに延びている。
【００４０】
破断部３３は、吸収体３０を延伸することによって形成されている。より詳細には、破断部３３は、一対の延伸ロールによって吸収体３０を厚み方向Ｔに挟み、吸収体３０を延伸することによって形成されている。一対の延伸ロールとしては、一方の延伸ロールに長手方向に延びる凸部が形成され、他方の延伸ロールに凸部と噛み合う凹部が形成された構成を採用できる。また、一対の延伸ロールによって吸収体３０を延伸することにより、吸収コア３１は、少なくとも幅方向Ｗに延伸され、延伸された領域における吸収材料の密度が低くなる。よって、破断領域Ｒ３３の吸収材料の密度は、破断領域Ｒ３３に隣接する領域の吸収材料の密度よりも低い。図５に示すＢ３０は、吸収材料の密度が変化する境界を示す。境界Ｂ３０は、破断領域Ｒ３３の外側縁となる。境界Ｂ３０よりも幅方向の内側の領域の吸収材料の密度は、境界Ｂ３０のよりも幅方向の外側の領域の吸収材料の密度よりも低い。また、破断領域Ｒ３３は、低目付領域４１内に設けられている。低目付領域４１の幅方向Ｗの長さは、破断領域Ｒ３３の幅方向Ｗの長さよりも長い。吸収体３０には、図５に示すように、破断領域Ｒ３３と、破断領域Ｒ３３と吸収材料の目付が同じであって、かつ破断領域Ｒ３３よりも吸収材料の密度が高い領域（低目付領域内であって、破断領域外の領域）Ｒ３４と、破断領域Ｒ３３よりも吸収材料の目付が高く、かつ破断領域Ｒ３３よりも吸収材料の密度が高い領域（低目付領域外の領域）Ｒ３５と、が幅方向に隣接して設けられている。吸収体３０は、幅方向の中央の領域の剛性が最も低く、幅方向の外側に向かって剛性が高くなっている。よって、着用時に吸収体の幅方向の中央の領域が幅方向の側部を基点として着用者側に隆起し易く、吸収体３０が着用者の臀部間の隙間にフィットし易くなる。
【００４１】
破断部３３は、第１圧搾溝８１によって厚み方向に凹んだ圧搾領域Ｒ８１に形成されており、第２圧搾溝８２によって厚み方向に凹んだ領域に形成されていない。破断部３３の少なくとも一部が、圧搾領域Ｒ８１の少なくとも一部の領域に形成されていればよい。ここで、圧搾領域Ｒ８１は、第１圧搾溝８１によって厚み方向に凹んだ領域である。圧搾領域Ｒ８１は、トップシート１１の肌対向面が第２方向に対して非平行であり、かつトップシート１１の肌対向面が非肌対向面側に向かって延びる領域である。具体的には、以下の方法によって圧搾領域の範囲を求めることができる。（１）第１圧搾溝が形成された吸収性物品を、第１圧搾溝が延びる第１方向と直交する第２方向の延びる断面で切断する。（２）切断した吸収体の断面を走査型電子顕微鏡などの電子顕微鏡で観察し、トップシート１１の肌対向面が延びる方向を測定する。（３）トップシートの肌対向面が第２方向に対して非平行であり、かつトップシート１１の肌対向面が非肌対向面側に向かって延びる領域を圧搾領域とする。
【００４２】
破断部３３は、少なくとも第１圧搾溝８１の第２方向である幅方向の中心に対する幅方向の外側に配置されている。第１圧搾溝８１を形成する際は、トップシート１１と吸収体３０とを積層した状態で、トップシート１１と吸収体３０とを厚み方向に圧縮する。カバーシート３２及びトップシート１１は、第１圧搾溝８１の形成時に少なくとも第２方向である幅方向Ｗに引っ張られる。より詳細には、カバーシート３２は、第１圧搾溝８１が形成される前の状態における幅方向に引っ張られ、厚み方向に凹んだ第１圧搾溝８１の形成時においては、幅方向Ｗかつ厚み方向Ｔに引っ張られる。このとき、第１圧搾溝８１の幅方向の中心に対する幅方向の外側に破断部３３が形成されているため、カバーシート３２は、第１圧搾溝８１の形成時に破断部３３の変形によって幅方向Ｗに伸長する。また、トップシート１１は、カバーシート３２と比較して伸度が高く、第１圧搾溝８１の形成時にトップシート１１が引っ張られた際に幅方向に伸長する。破断領域Ｒ３３においては、カバーシート３２及びトップシート１１によって吸収材料が圧縮されることが抑制される。また、破断部３３は、圧搾領域Ｒ８１内に形成されている。圧搾領域Ｒ８１は、第１圧搾溝８１の形成時に圧縮され、剛性が高くなり易い。当該圧搾領域Ｒ８１内に破断部３３が形成されているため、第１圧搾溝８１の周囲が硬くなり過ぎることを抑制できる。第１圧搾溝８１の周囲が柔軟に変形し、身体に対するフィット性を高めることができる。第１圧搾溝８１の周囲の剛性が高くなり過ぎず、着用時の違和感を抑制できる。また、第１圧搾溝８１の周囲は、カバーシート３２及びトップシート１１の伸長によって圧縮され過ぎず、第１圧搾溝８１の形成前の厚さを維持し易い。よって、第１圧搾溝８１が形成された領域と、第１圧搾溝８１の周囲の領域と、の厚み差が大きくなり、第１圧搾溝８１を頂点として吸収体が変形し易くなり、よりフィット性が向上し、吸収性物品と身体との隙間を少なくできる。
【００４３】
第１圧搾溝８１の形成時に吸収コア３１が硬くなることを抑制するために、トップシート１１と吸収コア３１の間に配置されているカバーシート３２に破断部３３が形成されていることが好ましい。カバーシート３２に破断部３３が設けることにより、吸収コア３１をカバーシート３２によって圧縮することを抑制し、第１圧搾溝８１の周囲の吸収コア３１が硬くなり過ぎることを抑制できる。
【００４４】
また、図６に示すように、着用時に第１圧搾溝８１が頂点となるように吸収コア３１が変形すると、カバーシート３２及びトップシート１１は、幅方向Ｗに引っ張られる。このとき、トップシート１１は、カバーシート３２と比較して伸度が高く、吸収コアの変形に伴って伸長し、吸収コアの変形を阻害しない。一方、カバーシート３２は、トップシート１１と比較して伸度が低いが、破断部３３の変形によって幅方向に伸長可能であり、吸収コア３１の変形を阻害しない。よって、吸収コア３１は、第１圧搾溝８１を基点に隆起するように変形し、身体に対するフィット性を高めることができる。
【００４５】
このように着用時における吸収コア３１の変形をより阻害しないために、破断部３３は、吸収コア３１が隆起する側（本実施の形態においては、肌対向面側Ｔ１）に位置するカバーシート３２に設けられていることが好ましい。吸収コア３１が一方側に隆起するように変形すると、特に吸収コア３１の一方側に配置されたカバーシート３２が第２方向である幅方向Ｗに引っ張られる。吸収コア３１よりも一方側に配置されたカバーシート３２に破断部３３が形成されているため、カバーシート３２によって吸収コア３１の変形を阻害しない。よって、吸収コア３１は、第１圧搾溝８１を基点として変形し、身体に対するフィット性を高めることができる。
【００４６】
また、破断部３３は、低目付領域４１と重なる領域に設けられている。破断領域Ｒ３３の幅方向Ｗの長さは、図２に示す断面における低目付領域４１の幅方向の長さよりも短く、第１圧搾溝８１の幅方向の長さよりも長い。低目付領域４１は、高目付領域４２よりも吸収コア３１の目付が低く、着用時に変形し易いように構成されている。カバーシート３２は、低目付領域４１と重なる領域に配置された破断部３３を有するため、低目付領域４１の変形に伴って柔軟に変形できる。吸収コア３１は、第１圧搾溝８１を基点としてより柔軟に変形でき、身体に対するフィット性をより高めることができる。
【００４７】
吸収性物品１には、第１圧搾溝８１の幅方向の両外側に第２圧搾溝８２が形成されている。上述のように、第１圧搾溝８１の周囲の剛性は、第２圧搾溝８２の周囲の剛性よりも低い。また、第１圧搾溝８１と共に第２圧搾溝８２が形成されることにより、第１圧搾溝８１の周囲の領域は、第２圧搾溝の形成に伴って第２方向である幅方向Ｗの外側に引っ張られ、吸収材料の密度が低くなり、第２圧搾溝８２の周囲の領域と比較してより柔軟化する。第１圧搾溝８１の周囲の領域と第２圧搾溝８２の周囲の領域との剛性差が大きくなることにより、着用時に第１圧搾溝８１及び第２圧搾溝８２を基点としてより変形し易く、フィット性を高めることができる。また、着用者側に隆起する第１圧搾溝８１の周囲の領域の剛性は、より低くなり、着用者に対する当たりをより和らげ、違和感を抑制できる。
【００４８】
また、第１圧搾溝８１の周囲の領域と第２圧搾溝８２の周囲の領域との剛性差及び厚み差をより顕著に形成するために、次の構成を組み合わせることができる。具体的には、第１圧搾溝８１による圧搾領域内に破断部３３を設け、第２圧搾溝８２による圧搾領域内に破断部３３を設けない構成。第１圧搾溝８１を低目付領域４１に形成し、第２圧搾溝８２を高目付領域４２に形成する構成。第１圧搾溝８１を吸収体３０のみに形成し、第２圧搾溝８２を吸収体３０及び肌面シート１０に形成する構成。第１圧搾溝８１を吸収体３０のみに形成し、第２圧搾溝８２を吸収体３０及び肌面シート１０に形成することにより、第２圧搾溝８２の密度が第１圧搾溝８１の密度よりも高くなり、第１圧搾溝８１と第２圧搾溝８２との剛性差が大きくなる。また、第１圧搾溝８１を吸収体３０のみに形成し、第２圧搾溝８２を吸収体３０及び肌面シート１０に形成することにより、第２圧搾溝８２の圧縮量（厚み方向の長さ）が第１圧搾溝８１の圧縮量よりも大きくなり、第２圧搾溝８２の周囲が第１圧搾溝８１の周囲よりもカバーシート３２によって圧縮され易く、第１圧搾溝８１の周囲の領域と第２圧搾溝８２の周囲の領域との厚み差が大きくなる。
【００４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。実施の形態においては、第１方向が長手方向と平行であり、第２方向が幅方向と平行であったが、本発明に係る第１方向は、長手方向に傾斜してもよいし、幅方向に沿っていてもよい。
【符号の説明】
【００５０】
１        ：吸収性物品
１０          ：肌面シート
１１        ：トップシート
１２        ：サイドシート
２０        ：非肌面シート
３０        ：吸収体
３１        ：吸収コア
３２        ：カバーシート
８１        ：第１圧搾溝
８２        ：第２圧搾溝
Ｓ１        ：股下域
Ｓ２        ：前側域
Ｓ３        ：後側域
Ｌ          ：長手方向
Ｔ          ：厚み方向
Ｔ１        ：肌対向面側
Ｔ２        ：非肌対向面側
Ｗ          ：幅方向
【図１】
2018000511.tif 000003
【図２】
2018000511.tif 000004
【図３】
2018000511.tif 000005
【図４】
2018000511.tif 000006
【図５】
2018000511.tif 000007
【図６】
2018000511.tif 000008